(57)【要約】【課題】キャンペーン内容と対象顧客の要望に応じて、商品にメッセージと画像を印刷し、配送する販売促進キャンペーン方法を提供する。【解決手段】化粧品、食品、医薬品又は医薬部外品の販売促進キャンペーンにおいて、キャンペーン内容を決定し、顧客データベースと購入履歴データベースに基づいて対象顧客を決定し、キャンペーン仕様データベースから対象顧客に対する個別的なコンテンツを決定し、対象顧客にキャンペーン応募書を配布するステップと、顧客がコンピュータネットワークを介して顧客端末から商品に印刷するメッセージ又はデザイン等の印刷内容を決定し、その印刷結果を画像で確認し、商品を発注し、顧客が決定した印刷内容で可食性インキにより商品の表面に直接印刷し、印刷した商品を顧客が指定した配送先に発送する。【選択図】図１
2005004579.tif 000002
【特許請求の範囲】
【請求項１】
化粧品、食品、医薬品又は医薬部外品から選ばれる印刷可能な表面を有する商品の販売促進キャンペーンにおいて、
キャンペーン内容をｓ決定するステップと、
顧客データベースと購入履歴データベースに基づいて対象顧客を決定するステップと、
キャンペーン仕様データベースから対象顧客に対する個別的なコンテンツを決定するステップと、
対象顧客にキャンペーン応募書を配布するステップと、
顧客がコンピュータネットワークを介して顧客端末から商品に印刷するメッセージ又はデザイン等の印刷内容を決定し、その印刷結果を画像で確認し、商品を発注するステップと、
顧客が決定した印刷内容で可食性インキにより商品の表面に直接印刷するステップと、
印刷した商品を顧客が指定した配送先に発送するステップと、
からなることを特徴とする商品の販売促進キャンペーン方法。
【請求項２】
商品の包装もしくは付属品に印刷するステップを含む請求項１記載の販売促進キャンペーン方法。
【発明の詳細な説明】
【０００１】
【発明の属する技術分野】本発明は、化粧品、食品、医薬品、医薬部外品のプレゼント用、プロモーション用の特殊インキ（可食性インキ、香料性インキ、磁気インキ、ＵＶインキ、インビジブルインキ、蓄光性インキ、味覚性インキ）を使用した販売促進用印刷方法及そのシステムに関する。
【０００２】
【従来の技術】通常、キャンペーン内容はメーカーまたは代理店が企画し、製品の特徴、効能、価格、素材のカラーやデザイン、パッケージのカラーやデザインを新製品発表時にメディアを通じ発表し、また個人会員向けに特定キャンペーンを行なってきた。また、化粧品、食品、医薬品、医薬部外品に可食インキを用いて、製品名称、製造者名、製造者ロゴ、製造年月日等の固定メッセージを印刷することも行なわれているが、顧客個人が希望した任意情報（可変メッセージと可変画像）を高品質フルカラーもしくは単色で、ブランドイメージを損なわないで製品に直接印刷する付加価値サービスを提供することは無かった。
また、キャンペーンの企画に基づき、雑誌やチラシによる申込み・応募書の印刷、化粧品、食品、医薬品、医薬部外品への直接メッセージ印刷、メッセージカード、包装容器、包装紙、リボン等の付属品への顧客個人が希望した任意情報（可変メッセージと可変画像）の印刷と任意情報を暗闇でも確認できる印刷、ブランドイメージを守る偽造防止処置、メッセージカードに香りを付ける香料印刷、宛名印刷を行なうとき、企画者は各印刷の種類別に、印刷会社または印刷部門を選定し、１つづつ版下の作成・校正を行ない校了後印刷し、印刷完了後に個別に納入された化粧品、食品、医薬品、医薬部外品と付属品が揃うのを待ち、梱包、発送を行なわなければならなかったので、申込み・応募書のインプットから顧客へ納品するまで数週間を必要とした。
さらに、化粧品、食品、医薬品、医薬部外品を注文するとき、近年、インターネットのホームページ等でこの種の製品が、顧客に適合するかを判断する仕組みが提供されてきたが、購買者がキャンペーン用、プレゼント用にメッセージ印刷を依頼しても、化粧品、食品、医薬品、医薬部外品とメッセージとの組合わせやバランスまで確認することは行なえず、さらにメッセージ本文の選択ミスにより、プレゼントの受取人に効果が伝わらない事があり、購入後の消費者の声も製品やパッケージのみに集中し、メッセージ印刷したメッセージ内容まで踏み込めなかった。
【０００３】
【発明が解決しようとする課題】本発明は、キャンペーン内容の決定から顧客への販売方法、製品購入の申込方法、購入予定製品が消費者に適合するかの判断の援助、注文の受付方法、製品および製品の付属品の手配方法、製品への可変メッセージと可変画像の直接印刷方法、メッセージカード、梱包容器、包装紙、リボン等の製品の付属品への可変メッセージと可変画像の印刷方法と暗闇でも確認できる印刷方法、香り付け方法、偽造防止処置方法、発送方法、顧客サービス方法のデータベース及びインターフェースを統一し、データの漏洩等の危険性を軽減する自動化によるトータルシステム化を行い、申込み・応募書のインプットから顧客へ納品するまで１日ででき、購入者および消費者の問合せに対する回答、処置結果やアンケートに対する回答と分析結果までを含む顧客維持管理を含む販売促進用印刷方法及システムを提供することを目的とする。
【０００４】
【課題を解決するための手段】本発明は、化粧品、食品、医薬品又は医薬部外品から選ばれる印刷可能な表面を有する商品の販売促進キャンペーンにおいて、
キャンペーン内容を決定するステップと、
顧客データベースと購入履歴データベースに基づいて対象顧客を決定するステップと、
キャンペーン仕様データベースから対象顧客に対する個別的なコンテンツを決定するステップと、
対象顧客にキャンペーン応募書を配布するステップと、
顧客がコンピュータネットワークを介して顧客端末から商品に印刷するメッセージ又はデザイン等の印刷内容を決定し、その印刷結果を画像で確認し、商品を発注するステップと、
顧客が決定した印刷内容で可食性インキにより商品の表面に直接印刷するステップと、
印刷した商品を顧客が指定した配送先に発送するステップと、
からなることを特徴とする商品の販売促進キャンペーン方法に関する。
更に本発明は、商品の包装もしくは付属品に印刷するステップを含む上記販売促進キャンペーン方法に関する。
本発明によれば、キャンペーン内容の決定にあたり、化粧品、食品、医薬品、医薬部外品のメーカー、代理店または印刷付加価値アウトソーシング業者が、誕生日、入学祝い、卒業祝い、就職祝い、七五三、成人式、バレンタインデー、ホワイトデー、母の日、父の日、クリスマス等の日付指定の逐次実行型、製品の日々の使用量から製品の残量を計算し残量が少なくなる時期に案内を出す逐次実行型、記念品、試供品、引き出物や新製品のキャンペーン等の記念品型のメニューよりサービスメニューを一度登録すると、購入予定顧客が自動的に抽出され、申込み・応募書が自動作成され、購入者が申込み・応募書に記述した受取人、差出人とメッセージおよび写真等の画像をインクジェット方式もしくは電子写真方式の可食性インキプリンタで直接口紅、ファンデーション等の化粧品、食品、医薬品、医薬部外品に高品質フルカラーもしくは単色で自動的に印刷する。
【０００５】
又、本発明によれば、化粧品、食品、医薬品、医薬部外品の可食性インキプリンタで印刷したデータを用いて、並行してメッセージカード、梱包容器、包装紙、リボンに同時にインクジェット方式もしくは電子写真方式のプリンタで高品質フルカラーもしくは単色で自動的に印刷し、また暗闇でもメッセージを確認したいときは、蓄光性インキをインクジェット方式もしくは電子写真方式の蓄光性インキプリンタで印刷し、香り付けには、香料性インキをインクジェット方式もしくは電子写真方式の香料性インキプリンタで印刷し、ブランド偽造防止策には、磁気インキ、ＵＶインキ、インビジブルインキ、偽造防止ラベル等を使用し自動的に処置する。
【０００６】
又、本発明によれば、キャンペーン仕様データベースに登録したキャンペーン内容に従い、顧客データベースと購入履歴データベースを参照し、販売対象顧客を自動的に抽出し、申込み・応募書のチラシ印刷、雑誌用の版下作成、ＤＭ発行、ＦＡＸ送信、Ｗｅｂ配信、メール配信用のデータを自動的にジェネレートし、同時に配信する。
【０００７】
又、本発明のよれば、蓄積された製品の購買情報から顧客の年齢、性別、職業、趣味により逐次内容を変え、顧客に適した売れ筋製品、人気製品のコマーシャルを表示し、プレゼントの受取人の年齢、性別、職業、趣味により受取人に適した化粧品、食品、医薬品、医薬部外品の色や形状と、顧客が希望した印刷メッセージと画像をＷｅｂ画面に重鎮表示し、顧客が希望したメッセージカード、梱包容器、包装紙、リボン、花束等の付属品も重鎮表示し、消費者の写真が登録されているときは写真も重鎮表示させ、化粧品、食品、医薬品、医薬部外品の使用による効果を消費者の写真画像に反映させるので、気に入る製品が決まるまで製品、付属品、印刷メッセージと画像を交換後確認することができる。
【０００８】
又、本発明によれば、配布した申込み・応募書をはがき、ＦＡＸ、Ｗｅｂ、携帯電話等により分散入力し、受注データベースに登録するが、化粧品、食品、医薬品、医薬部外品に印刷する可変メッセージと可変画像も、手書き、電子化された様々のファイルフォーマットで入稿されるが、統一したフォーマットで管理する方法が必要で、またクレーム対策として、顧客よりの問合せに対し、申込み・応募書の原紙情報の参照が必要になるケースがあるので、原紙のイメージ検索ができ、倉庫から紙を捜す事なく、申込者の情報から即時に本人情報を検索できる。
【０００９】
又、本発明によれば、化粧品、食品、医薬品、医薬部外品に印刷する可変メッセージと可変画像データおよび製品ＩＤを受注データベースより、あらかじめ指定した印刷指定日付・時間がくると自動的に抽出し、製品ＩＤより、製品印刷仕様データベースを参照し、製品の自動識別を行い、製品の凹凸、柔らかさにより、印刷領域、色調を決め、背景、可変メッセージ、可変画像を自動日本語組版編集し可食性インキにより印刷し、印刷検査装置と連携することにより、印刷エラーが発生したときは、即時に再度印刷を行なうかをオペレータに通知し、オペレータの指示に従い、印刷のタイムラグを無くすことができる。
【００１０】
又、本発明によれば、化粧品、食品、医薬品、医薬部外品に印刷する装置で、同一装置で並行してメッセージカード、梱包容器、包装紙、リボンに可変メッセージと可変画像を印刷または暗闇でも見える印刷し、さらに香り付けとブランド保護を目的とした偽造防止処置、配送伝票の印刷までをトータルに一括印刷を行ない印刷の処理時間を短縮し、特殊インキを使った印刷装置は、ネットワーク型の構成を取り、印刷部門の想定した生産能力や印刷仕様に従い、可食性インキプリンタ、香料性インキプリンタ、偽造防止処置装置、蓄光性インキプリンタ、プリンタの設置台数を適宜に追加し、使用しない場合は未設置でも稼働することができる。
【００１１】
又、本発明によれば、購買者と消費者の問合わせに対し化粧品、食品、医薬品、医薬部外品の製品と可変メッセージと可変画像印刷結果の両方の問合せに対し、対応処置が可能で、購買者、消費者からのクレームに対し、申込み・応募書の原紙情報は申込み・応募原簿データベースに登録し、原紙情報の参照が必要になる場合は、原紙のイメージ検索により倉庫から紙を捜す事なく、申込者の情報から即時に本人情報を検索し、必要ならプリンタ出力又は、ＦＡＸ送信にて本人に送り問題解決にあたる事ができ、また化粧品、食品、医薬品、医薬部外品をＤＭ、新聞、雑誌、ポスター、インターネット、ラジオ、テレビ等のどのメディアで知り、知った場所はどこかのアンケート収集を行い宣伝精度を上げることができる。
【００１２】
又、本発明によれば、キャンペーン内容の決定から顧客への申込み・応募書の配布、購入予定製品が消費者に適合するかの判断の援助、注文の受付、製品および製品の付属品の手配、製品への可変メッセージと可変画像の直接印刷、メッセージカード、梱包容器、包装紙、リボン等の製品の付属品への可変メッセージと可変画像の印刷と暗闇でも見える印刷、香料付け、偽造防止処置、発送、顧客サービスによる顧客維持管理のデータベース及びインターフェースを統一し、データの漏洩等の危険性を軽減する。
【００１３】
【発明の実施の形態】
以下、本発明の形態を図面で参照しつつ説明する。図１は、本発明の実施の１形態である化粧品の特殊インキによる販売促進を実現する全体システムを示す図である。
【００１４】
図２は、本発明の機能や装置構成を示すシステムの構成図である。
本システムにおける処理装置１としては、入力用にスキャナ１５、キャンペーン内容メニュー設定端末２、製品印刷仕様設定端末３が接続され、出力用には可食性インキプリンタ４０、香料性インキプリンタ４１、偽造防止処置装置４２、蓄光性インキプリンタ４３、味覚性インキプリンタ４４、プリンタ４５、搬送装置４６が接続され、広域でオープンなコンピュータの通信網であるインターネット通信網１２を経由し複数の顧客端末１０、携帯端末１１と通信可能に構成されている。
【００１５】
図３は本実施例を示し、誕生祝いのプレゼント用に石鹸を選び、石鹸にお祝い用のメッセージと誕生日を迎えた子供の写真を可食性インキで印刷し、メッセージカードにはお祝いの言葉を暗闇でも見える蓄光性インキで印刷し、菫の香付をし、包装紙には誕生日を迎えた子供の写真を印刷し梱包し、リボンには誕生日を迎えた子供の名前を印刷し、花束を添え贈答する方法で、はがきから申込み書をキーボードで入力する例として説明する。
【００１６】
「キャンペーン内容決定」７１では、化粧品メーカーまたは代理店が、キャンペーン内容メニュー設定端末２からキャンペーン内容を入力し、図４のキャンペーン仕様データベースの構成を、キャンペーン仕様データベース５３に登録し、キャンペーン対象の石鹸およびメッセージカード、梱包容器、包装紙、リボン等の付属品に可変印刷する印刷仕様を、製品印刷仕様設定端末３から入力し、図６▲１▼の製品印刷仕様データベースの構成を、製品印刷仕様データベース５４に登録しキャンペーン内容を決定する工程を示す。
【００１７】
「対象顧客抽出」７２では、決定したキャンペーン内容により、顧客データベース５０と顧客履歴データベース５２を参照して、顧客データベース５０から販売対象顧客を抽出する工程を示す。
顧客の抽出方法は、行事日から逆算し自動的に顧客の抽出を行なう、また家族構成や過去の購買記録により自動的に顧客の抽出を行う、および製品の日々の使用量から製品の残量を計算し残量が少なくなる時期に顧客の抽出を行なう逐次キャンペーン抽出４型と、過去の購買履歴やキャンペーン内容により顧客の抽出を一括して行なう記念品キャンペーン抽出５型の２通りの方法がある。
【００１８】
「申込み・応募書配布」７３では、抽出した販売対象顧客に対し、その対象者の年齢、性別によってデザインやコンテンツを変え、申込み・応募書のチラシ印刷を行いＤＭを発行する工程を示し、ＤＭ以外にも、雑誌、新聞、ポスター、インターネットメディアを使い、申込み・応募書を同時に配布することができる。申込み・応募書はキャンペーン仕様データベース５３と顧客データベース５０の内容から申込み・応募データチラシ作成６により申込み・応募書をプリンタ４５に出力し、ＤＭ用ラベルは申込み・応募書ラベル作成９でプリンタ４５に出力したラベルをつけ配送し、申込み・応募データを雑誌に掲載するときは、掲載内容の版下を申込み・応募データ雑誌版下作成７でＰＤＦファイルに出力し印刷会社に出稿し、Ｗｅｂに掲載するときは申込み・応募データＷｅｂ連動８により申込み・応募用のホームページをジェネレートし、申込み・応募Ｗｅｂファイル５６に出力する。
【００１９】
「注文確認」７４では、顧客が注文前に、キャンペーン仕様データベース５３に蓄積された製品の購買情報から顧客の年齢、性別、職業、趣味により逐次内容を変え、顧客に適した売れ筋製品、人気製品のコマーシャルを表示し、プレゼントの受取人の年齢、性別、職業、趣味により受取人に適した石鹸と人気メッセージ、人気画像を表示し、購入予定の石鹸と石鹸に直接印刷する可変メッセージと可変画像およびメッセージカード、梱包容器、包装紙、リボン等の付属品に印刷する可変メッセージと可変画像および消費者の顔写真を製品Ｗｅｂシミュレーション１７により図５に示す注文確認画面を顧客端末１０に重鎮表示し、購入者の意図に合った製品かを確認する工程を示す。
【００２０】
「注文受付」７５では、ＤＭの申込書１３に記述された、注文する石鹸と石鹸に印刷する宛名、メッセージ、差出人と添付されたメッセージ・画像添付ファイル１４を入力し、申込み受付け後、確認用に購買者の携帯端末１１、顧客端末１０、ＦＡＸ１６に申込み内容と配送時期を配信する工程を示し、入力についてはキーボードによる直接入力以外にスキャナ１５、携帯端末１１、顧客端末１０、ＦＡＸ１６などのマルチチャネルに対応している。
【００２１】
「受注データベース作成」７６では、注文受付７５で入力された情報と顧客データベース５０から受注データベース５１を構築する工程を示す。
【００２２】
「キャンペーン製品手配」７７では、製品別手配一覧２０で受注データベース５１に登録された石鹸の製品別に翌日印刷する石鹸の一覧と数を表示するので、印刷部門に石鹸を配送依頼する工程を示す。
【００２３】
「主製品の付属品手配」７８では、受注データベース５１に登録された石鹸の付属品となるメッセージカード、梱包容器、包装紙、リボン等を付属品在庫確認２１で付属品在庫データベース５７を参照し、在庫が不足したときは、付属品発注２２で各業者に手配する工程を示す。
【００２４】
「可変印刷データ抽出」７９では、抽出条件インプット２３で入力した抽出内容に従い、受注データベース５１より、石鹸に印刷する可変メッセージと可変画像を抽出し、印刷ジョブファイル５９に出力する工程を示す。
【００２５】
「自動日本語組版編集」８０では、製品自動識別２４により可食性インキプリンタ４０にセットされた石鹸の種類を自動識別し、文字や画像の印刷位置や文字フォントの種類やサイズが格納された製品印刷仕様データベース５４を検索し、印刷ジョブファイル５９から抽出した可変画像をファイルフォーマットの自動認識後カラープロファイルを用いた色変換、トリミング、切り抜き、画像サイズ変換、減色、シャープネス処理、ラスタライズを行い可食性インキプリンタ４０で印刷できるＢＭＰ形式に変換し、製品印刷仕様データベース５４の背景情報を背景展開２６により可食性インキプリンタ４０で印刷できるＢＭＰ形式に変換し、文字フォント展開２７により可変メッセージ印刷で使用する書体の文字フォントを文字フォントファイル５８から展開し、自動組版２８で製品印刷仕様データベース５４の印刷レイアウト指示に従い、印刷ジョブファイル５９の可変メッセージを図６で示す日本語組版編集する工程を示す。
【００２６】
「可食性インキ印刷」８１では、可食性インキ自動選択２９により、製品印刷仕様データベース５４から使用する可食性インキの食品用、玩具用、化粧品用等の種類を判断し、可食性インキプリンタ４０にセットされている可食性インキと同一か判定し、異なるときは交換を要求し、可食性インキカラー自動選択３０により、製品印刷仕様データベース５４から使用する可食性インキの色が、可食性インキプリンタ４０にセットされてい    る可食性インキのカラーと同一か判定し、異なるときは交換を要求し、化粧品に直接印刷し、搬送装置４６により搬送後、印刷結果検査３２により、石鹸に印刷した印刷結果の品質チェックを行い、不良品の場合は再度可食性インキ印刷を行なう工程を示す。
【００２７】
「味覚性インキ印刷」８２では、顧客が味覚付けを希望したとき、製品印刷仕様データベース５４の味覚性インキ印刷指定により、味覚性インキプリンタ出力３５により味覚付けされた味覚性インキを味覚性インキプリンタ４４に印刷する工程を示す。
【００２８】
「メッセージカード印刷」８３では、印刷ジョブファイル５９から抽出した可変メッセージと可変画像を、文字や画像の印刷位置や文字フォントの種類やサイズが格納された製品印刷仕様データベース５４のレイアウト指定に従い、石鹸の付属品であるメッセージカードにメッセージカードプリンタ出力３３でプリンタ４５に印刷する工程を示す。
【００２９】
「蓄光性インキ印刷」８４では、印刷ジョブファイル５９から抽出した可変メッセージと可変画像を、文字や画像の印刷位置や文字フォントの種類やサイズが格納された製品印刷仕様データベース５４のレイアウト指定に従い、石鹸の付属品であるメッセージカードに蓄光性インキプリンタ出力３８で蓄光性インキプリンタ４３に暗闇でも見える印刷をする工程を示す。
【００３０】
「香料インキ印刷」８５では、石鹸の付属品であるメッセージカードに製品印刷仕様データベース５４の香料性インキ印刷指定に従い、香料性インキプリンタ出力３４で香りのする香料性インキを香料性インキプリンタ４１に印刷する工程を示す。
【００３１】
「包装紙メッセージ印刷」８６では、石鹸の付属品である梱包容器、包装紙に印刷ジョブファイル５９から抽出した可変メッセージと可変画像を、文字や画像の印刷位置や文字フォントの種類やサイズが格納された製品印刷仕様データベース５４のレイアウト指定に従い、石鹸の付属品である梱包容器、包装紙に梱包容器・包装紙プリンタ出力３６でプリンタ４５に印刷する工程を示す。
【００３２】
「偽造防止処置」８７では、石鹸および石鹸の梱包容器に偽造防止処置装置出力３７で、製品印刷仕様データベース５４の磁気インキ、ＵＶインキ、インビジブルインキ等の偽造防止性インキの種類と２次元バーコードのメッセージを編集し、ホログラム貼付等の偽造防止処置装置４２にて偽造防止処置をする工程を示す。
【００３３】
「宛名印刷」８８では、印刷ジョブファイル５９と受注データベース５１をリンクし、配送伝票プリンタ出力３９により配送伝票を編集し、プリンタ４５に印刷する工程を示す。
【００３４】
「梱包・発送」８９では、印刷済の石鹸とメッセージカードを包装容器または包装紙で梱包しリボン掛けし配送伝票を添付する工程を示す。
【００３５】
「顧客サービス」９０では電話、インターネット、メールで購入者、消費者からの問合せに対し、製品問合せデータ入力４７で石鹸、メッセージカード、梱包容器、包装紙、リボン等に対する消費者の問合せ内容と処置結果を顧客データベース５０に入力し、印刷結果問合せデータ入力４８で、石鹸、メッセージカード、梱包容器、包装紙、リボン等に印刷した印刷結果に対する消費者の問合せ内容と処置結果を顧客データベース５０に入力する工程であり、購買者、消費者からのクレームに対し、問題が解決する手段として申込み・応募書の原紙情報は申込み・応募原簿データベース５５の原紙情報の参照が必要になるケースがあり、本発明はデータベース情報に原紙のイメージ検索がついているため、倉庫から紙を捜す事なく、申込者の情報から即時に本人情報を検索し、必要ならプリンタ４５出力又は、ＦＡＸ１６送信、顧客端末１０送信にて本人に送り問題解決にあたる事ができる。
【００３６】
「集計・分析」９１では、集計結果編集４９により、電話、インターネット、電子メールで購買者、消費者からの石鹸、メッセージカード、梱包容器、包装紙、リボン等の、問合せ内容と処置結果を集計・分析する工程を示す。０
【００３７】
「新キャンペーン企画提案」９２では、「集計・分析」９１での分析結果とキャンペーンに対する販売動向を顧客データベース５０、購入履歴データベース５２から分析し、メーカーまたは代理店にマーケッティング情報を提示し、次期キャンペーン内容の提案を行なう。
【００３８】
【発明の効果】次に本発明の効果について述べる。本発明の販売促進用印刷システムを用いれば、美容院が化粧品メーカーとタイアップした場合、顧客が髪をカットしているときに、美容院で使用している口紅を顧客が気に入りプレゼント用に贈答を考えた場合、美容院の顧客端末をみて、プレゼントの受取人の顔写真と口紅の色が適応しているかをシミュレーションし、プレゼントの受取人に最適な色とパッケージを選択し、口紅に印刷するメッセージ、メッセージカード、包装紙、リボンを選択シミュレーションし、気に入った香水があれば相応する香料をメッセージに塗工し、また化粧品メーカーと食品メーカーがタイアップしていて、時期が雛祭りの時期であれば、雛霰を添付することにより、個性的な贈答品が出来上がり、髪のカットが終わり美容院で精算するとき、プレゼントの口紅も同時に精算を行なうことができ、顧客は買い物時間を短縮できプレゼントの受取人に適した製品を選択でき、美容院は口紅、付属品、雛霰の手数料が入り、化粧品メーカーはネット販売によるトラブルの回避ができる。
【００３９】
また、化粧品メーカーにおいては、百貨店で顧客がホワイトデーのプレゼント用に品物を選択中で、同価格の口紅かスカーフを選ぶか判断に困っている時、口紅には、顧客が希望したメッセージと写真を直接印刷できる付加価値サービス、メッセージカード、梱包容器、包装紙にも顧客が希望したメッセージと写真を直接印刷できる付加価値サービスがついている場合、顧客は世界に一つしかない希少性、個別に顧客が希望したメッセージを印刷しているため永くプレゼントの受取人に印象に残る製品である口紅を選ぶ可能性が高まり、口紅メーカー間の競争力だけでなく他製品との競争力も増す。
【００４０】
また、玉子産地においては、スーパーやコンビニエンスストアで顧客が引越し祝いに近隣に引き出物用の品物の選択に迷っている時、玉子に顧客が希望したメッセージと写真を直接印刷するサービスがあると、顧客は新築した家の写真と引っ越しの挨拶文と連絡先を玉子に直接印刷し、隣近所に挨拶時に配れば、贈答品としての玉子の付加価値が上がり、玉子の活用範囲が広がる。
【００４１】
また、従来は化粧品、食品、医薬品、医薬部外品にメッセージを直接印刷する場合、１つ単位に別々の印刷は行なえずに、予め指定した数分同じメッセージを一括して印刷していたため、印刷済の製品を在庫し、在庫より各販売店に発送していたが、本発明により、化粧品、食品、医薬品、医薬部外品にメッセージを直接印刷する場合、受注数が確定してから必要な数だけ１個単位に異なったメッセージが印刷できるので、メッセージ付きの化粧品、食品、医薬品、医薬部外品を在庫する必要がなくなる。
【００４２】
また、従来の印刷システムでは、化粧品、食品、医薬品、医薬部外品の直接印刷、メッセージカードの印刷、メッセージカードの香料付け、梱包容器、包装紙の印刷、偽造防止印刷の各工程を別々の部署が担当していたため、複数の版下作成や配送が必要であり、各工程に印刷オペレータが必要であったが、本発明により各印刷工程を一つの装置で一括して行なうため、版下も１つ作成すれば全印刷工程で利用でき、印刷オペレータも一人で運用管理でき、印刷のトータルコストが大幅に低減できる。
【００４３】
また、本発明の販売促進用印刷システムを使いアウトソーシング事業として印刷事業者が行なうと想定した場合、従来印刷事業者は、受注生産型事業体質を有しており、当該事業者の周辺事業（広告・宣伝・サービス）には消極的でかつ新規参入障壁も大きく未対応であったが、本発明により、一括受注を依頼者からの要求にどの事業者よりも早く接することができるという、強みをさらに強化させ、製品キャンペーンの広告・宣伝・サービス、申込み・応募代行、付加価値印刷、顧客維持管理までトータルなアウトソーシングサービスが可能となり、申込み応募者の印刷、包装容器、包装紙の印刷だけに留まらず処理までも請け負う等、印刷事業者の新規事業への参画機会が大幅に広げることが可能となる
【図面の簡単な説明】
【図１】図１は、本発明の１実施態様に係わる化粧品の特殊インキによる販売促進を実現するシステムの構成を示す基本構成ブロック図である。
【図２】図２は、本発明の機能や装置構成を示すシステムの構成図である。
【図３】図３はプレゼント用の石鹸の印刷イメージとメッセージカード、包装紙、リボンの印刷例と梱包例を示す図である。
【図４】図４は誕生祝いのキャンペーン仕様データベースの構成例を示す図である。
【図５】図５は顧客端末に表示した製品Ｗｅｂシミュレーション画面の構成例を示す図である。
【図６】図６は日本語組版編集の編集例を示す図である。
【符号の説明】
１−処理装置、２−キャンペーン内容メニュー設定端末、３−製品印刷仕様設定端末、、４−逐次キャンペーン抽出、５−記念品キャンペーン抽出、６−申込み・応募データチラシ作成、７−申込み・応募データ雑誌版下作成、８−申込み・応募データＷｅｂ連動、９−申込み・応募書ラベル作成、１０−顧客端末、１１−携帯端末、１２−インターネット通信網、１３−申込書、１４−メッセージ・画像添付ファイル、１５−スキャナ、１６−ＦＡＸ、１７−製品Ｗｅｂシミュレーション、１８−申込み・応募書インプット、１９−受注データベース登録、２０−製品別手配一覧、２１−付属品在庫確認、２２−付属品発注、２３−抽出条件インプット、２４−製品自動識別、２５−画像形式変換、２６−背景展開、２７−文字フォント展開、２８−自動組版、２９−可食性インキ自動選択、３０−可食性インキカラー自動選択、３１−可食性インキプリンタ出力、３２−印刷結果検査、３３−メッセージカードプリンタ出力、３４−香料性インキプリンタ出力、３５−味覚性インキプリンタ出力、３６−梱包容器・包装紙プリンタ出力、３７−偽造防止処置装置出力、３８−蓄光性インキプリンタ出力、３９−配送伝票プリンタ出力、４０−可食性インキプリンタ、４１−香料性インキプリンタ、４２−偽造防止処置装置、４３−蓄光性インキプリンタ、４４−味覚性インキプリンタ、４５−プリンタ、４６−搬送装置、４７−製品問合せデータ入力、４８−印刷結果問合せデータ入力、４９−集計結果編集、５０−顧客データベース、５１−受注データベース、５２−購入履歴データベース、５３−キャンペーン仕様データベース、５４−製品印刷仕様データベース、５５−申込み・応募原簿データベース、５６−申込み・応募Ｗｅｂファイル、５７−付属品在庫データベース、５８−文字フォントファイル、５９−印刷ジョブファイル、６０−検査装置、７１−キャンペーン内容決定、７２−対象顧客抽出、７３−申込み・応募書配布、７４−注文確認、７５−注文受付、７６−受注データベース作成、７７−キャンペーン製品手配、７８−主製品の付属品手配、７９−可変印刷データ抽出、８０−自動日本語組版編集、８１−可食性インキ印刷、８２−味覚性インキ印刷、８３−メッセージカード印刷、８４−蓄光性インキ印刷、８５−香料性インキ印刷、８６−包装紙メッセージ印刷、８７−偽造防止処置、８８−宛名印刷、８９−梱包・発送、９０−顧客サービス、９１−集計・分析、９２−新キャンペーン企画提案、３ａ１−石鹸に可食性インキでメッセージと写真を印刷、３ａ２−メッセージカードに蓄光性インキでメッセージを印刷し菫の香付印刷、３ａ３−包装紙に写真を印刷、３ａ４−リボンにメッセージを印刷、６０１−容器Ｘサイズ、６０２−容器Ｙサイズ、６ａ１−印刷開始位置Ｘ、６ａ２−印刷開始位置Ｙ、６ａ３−印刷領域Ｘサイズ、６ａ４−印刷領域Ｙサイズ、６ｂ１−メッセージ本文開始位置Ｘ、６ｂ２−メッセージ本文開始位置Ｙ、６ｂ３−メッセージ本文Ｘサイズ、６ｂ４−メッセージ本文Ｙサイズ、６ｃ１−画像開始位置Ｘ、６ｃ２−画像開始位置Ｙ、６ｃ３−画像Ｘサイズ、６ｃ４−画像Ｙサイズ
【図１】
2005004579.tif 000003
【図２】
2005004579.tif 000004
【図３】
2005004579.tif 000005
【図４】
2005004579.tif 000006
【図５】
2005004579.tif 000007
【図６】
2005004579.tif 000008